【手続補正書】
【提出日】平成19年3月26日(2007.3.26)
【手続補正１】
【補正対象書類名】明細書
【補正対象項目名】特許請求の範囲
【補正方法】変更
【補正の内容】
【特許請求の範囲】
【請求項１】  
破砕装置に設けた破砕ロータを回転させて被破砕木材を破砕し、その破砕した木材破砕物を破砕機本体外へ搬出する自走式木材破砕機において、
前記破砕装置側端部に設けた送りローラを有し、前記被破砕木材を前記破砕装置側へ搬送する搬送手段と、
前記搬送手段の上方、かつ破砕装置の近傍に設けた押えローラを有し、前記搬送手段と協働して前記被破砕木材を押圧しながら前記破砕装置へと導入する押圧導入手段とを備え、
破砕時において前記搬送手段による前記被破砕木材の搬送面が前記破砕ロータの回転中心位置近傍を含みそれより上方に位置するとともに、前記押えローラが前記送りローラよりも前記破砕ロータの破砕外径に対して近くなるように、前記破砕ロータ、前記送りローラ、及び前記押えローラを配設し、
さらに、前記破砕ロータを、その破砕ビットが前記被破砕木材に対し上向きに衝突して破砕する向きに回転させる上向き駆動手段を設けたことを特徴とする自走式木材破砕機。
【請求項２】
請求項１記載の自走式木材破砕機において、前記送りローラの径を、前記押えローラの径よりも小さくしたことを特徴とする自走式木材破砕機。
【請求項３】
破砕装置に設けた破砕ロータを回転させて被破砕木材を破砕し、その破砕した木材破砕物を破砕機本体外へ搬出する自走式木材破砕機において、
前記破砕装置側端部に設けた送りローラを有し、前記被破砕木材を前記破砕装置側へ搬送する搬送手段と、
前記搬送手段の上方、かつ破砕装置の近傍に設けた押えローラを有し、前記搬送手段と協働して前記被破砕木材を押圧しながら前記破砕装置へと導入する押圧導入手段とを備え、
破砕時において前記搬送手段による前記被破砕木材の搬送面が前記破砕ロータの回転中心位置近傍を含みそれより下方に位置するとともに、前記送りローラが前記押えローラよりも前記破砕ロータの破砕外径に対して近くなるように、前記破砕ロータ、前記送りローラ、及び前記押えローラを配設し、
さらに、前記破砕ロータを、その破砕ビットが前記被破砕木材に対し下向きに衝突して破砕する向きに回転させる下向き駆動手段を設けたことを特徴とする自走式木材破砕機。
【請求項４】
請求項３記載の自走式木材破砕機において、前記押えローラの径を、前記送りローラの径よりも小さくしたことを特徴とする自走式木材破砕機。
【請求項５】
破砕装置に設けた破砕ロータを回転させて被破砕木材を破砕し、その破砕した木材破砕物を破砕機本体外へ搬出する自走式木材破砕機において、
前記破砕装置側端部に設けた送りローラを有し、前記被破砕木材を前記破砕装置側へ搬送する搬送手段と、
前記搬送手段の上方、かつ破砕装置の近傍に設けた押えローラを有し、前記搬送手段と協働して前記被破砕木材を押圧しながら前記破砕装置へと導入する押圧導入手段とを備え、
破砕時において前記搬送手段による前記被破砕木材の搬送面が前記破砕ロータの回転中心位置近傍に位置するとともに、前記送りローラ及び前記押えローラが前記破砕ロータの破砕外径に対してほぼ等距離で近接するように、前記破砕ロータ、前記送りローラ、及び前記押えローラを配設し、
さらに、前記破砕ロータを、その破砕ビットが前記被破砕木材に対し上向き又は下向きに衝突して破砕するように両方向に回転可能な両方向駆動手段を設けたことを特徴とする自走式木材破砕機。
【請求項６】
破砕装置に設けた破砕ロータを回転させて被破砕木材を破砕し、その破砕した木材破砕物を破砕機本体外へ搬出する自走式木材破砕機において、
前記破砕装置側端部に設けた送りローラを有し、前記被破砕木材を前記破砕装置側へ搬送する搬送手段と、
前記搬送手段の上方、かつ破砕装置の近傍に設けた押えローラを有し、前記搬送手段と協働して前記被破砕木材を押圧しながら前記破砕装置へと導入する押圧導入手段とを備え、
破砕時において前記送りローラ及び前記押えローラが前記破砕ロータの破砕外径に対して近くなるように、前記破砕ロータ、前記送りローラ、及び前記押えローラを配設し、
前記送りローラ及び前記押えローラの外径を、前記搬送手段による前記被破砕木材の搬送面から前記破砕外径の最上部までの高さ方向寸法より小さくしたことを特徴とする自走式木材破砕機。
【請求項７】
破砕装置に設けた破砕ロータを回転させて被破砕木材を破砕し、その破砕した木材破砕物を破砕機本体外へ搬出する自走式木材破砕機において、
前記破砕装置側端部に設けた送りローラを有し、前記被破砕木材を前記破砕装置側へ搬送する搬送手段と、
前記搬送手段の上方、かつ破砕装置の近傍に設けた押えローラ、前記破砕装置の反対側に設けた回転ローラ、前記押えローラ及び前記回転ローラに巻き回したベルトを有し、前記搬送手段と協働して前記被破砕木材を押圧しながら前記破砕装置へと導入する押えコンベアとを備え、
破砕時において前記送りローラ及び前記押えローラが前記破砕ロータの破砕外径に対して近くなるように、前記破砕ロータ、前記送りローラ、及び前記押えローラを配設し、
前記送りローラ及び前記押えローラの外径を、前記搬送手段による前記被破砕木材の搬送面から前記破砕外径の最上部までの高さ方向寸法より小さくしたことを特徴とする自走式木材破砕機。
【請求項８】
請求項６または７記載の自走式木材破砕機において、前記破砕ロータを、その破砕ビットが前記被破砕木材に対し上向き又は下向きに衝突して破砕するように両方向に回転可能な両方向駆動手段を設けたことを特徴とする自走式木材破砕機。
【請求項９】
請求項１乃至８記載の自走式木材破砕機において、前記押圧導入手段を、略鉛直方向にスライド自在に配設したことを特徴とする自走式木材破砕機。
【手続補正２】
【補正対象書類名】明細書
【補正対象項目名】０００８
【補正方法】変更
【補正の内容】
【０００８】
【課題を解決するための手段】
（１）上記目的を達成するために、本発明は、 破砕装置に設けた破砕ロータを回転させて被破砕木材を破砕し、その破砕した木材破砕物を破砕機本体外へ搬出する自走式木材破砕機において、前記破砕装置側端部に設けた送りローラを有し、前記被破砕木材を前記破砕装置側へ搬送する搬送手段と、前記搬送手段の上方、かつ破砕装置の近傍に設けた押えローラを有し、前記搬送手段と協働して前記被破砕木材を押圧しながら前記破砕装置へと導入する押圧導入手段とを備え、破砕時において前記搬送手段による前記被破砕木材の搬送面が前記破砕ロータの回転中心位置近傍を含みそれより上方に位置するとともに、前記押えローラが前記送りローラよりも前記破砕ロータの破砕外径に対して近くなるように、前記破砕ロータ、前記送りローラ、及び前記押えローラを配設し、さらに、前記破砕ロータを、その破砕ビットが前記被破砕木材に対し上向きに衝突して破砕する向きに回転させる上向き駆動手段を設ける。
【手続補正３】
【補正対象書類名】明細書
【補正対象項目名】００１４
【補正方法】変更
【補正の内容】
【００１４】
（３）上記目的を達成するために、また本発明は、破砕装置に設けた破砕ロータを回転させて被破砕木材を破砕し、その破砕した木材破砕物を破砕機本体外へ搬出する自走式木材破砕機において、前記破砕装置側端部に設けた送りローラを有し、前記被破砕木材を前記破砕装置側へ搬送する搬送手段と、前記搬送手段の上方、かつ破砕装置の近傍に設けた押えローラを有し、前記搬送手段と協働して前記被破砕木材を押圧しながら前記破砕装置へと導入する押圧導入手段とを備え、破砕時において前記搬送手段による前記被破砕木材の搬送面が前記破砕ロータの回転中心位置近傍を含みそれより下方に位置するとともに、前記送りローラが前記押えローラよりも前記破砕ロータの破砕外径に対して近くなるように、前記破砕ロータ、前記送りローラ、及び前記押えローラを配設し、さらに、前記破砕ロータを、その破砕ビットが前記被破砕木材に対し下向きに衝突して破砕する向きに回転させる下向き駆動手段を設ける。
【手続補正４】
【補正対象書類名】明細書
【補正対象項目名】００１９
【補正方法】変更
【補正の内容】
【００１９】
（５）上記目的を達成するために、また本発明は、破砕装置に設けた破砕ロータを回転させて被破砕木材を破砕し、その破砕した木材破砕物を破砕機本体外へ搬出する自走式木材破砕機において、前記破砕装置側端部に設けた送りローラを有し、前記被破砕木材を前記破砕装置側へ搬送する搬送手段と、前記搬送手段の上方、かつ破砕装置の近傍に設けた押えローラを有し、前記搬送手段と協働して前記被破砕木材を押圧しながら前記破砕装置へと導入する押圧導入手段とを備え、破砕時において前記搬送手段による前記被破砕木材の搬送面が前記破砕ロータの回転中心位置近傍に位置するとともに、前記送りローラ及び前記押えローラが前記破砕ロータの破砕外径に対してほぼ等距離で近接するように、前記破砕ロータ、前記送りローラ、及び前記押えローラを配設し、さらに、前記破砕ロータを、その破砕ビットが前記被破砕木材に対し上向き又は下向きに衝突して破砕するように両方向に回転可能な両方向駆動手段を設ける。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
（８）上記（６）または（７）において、また好ましくは、前記破砕ロータを、その破砕ビットが前記被破砕木材に対し上向き又は下向きに衝突して破砕するように両方向に回転可能な両方向駆動手段を設ける。
【手続補正８】
【補正対象書類名】明細書
【補正対象項目名】００２５
【補正方法】変更
【補正の内容】
【００２５】
（９）上記（１）乃至（８）において、また好ましくは、前記押圧導入手段を、略鉛直方向にスライド自在に配設する。